(57)【要約】【課題】シフトレバーのシフト操作時に、シフトレバーブーツのシフト方向側面の下端部の多重折り込み現象を回避できるシフトレバーブーツの取付構造の提供を図る。【解決手段】シフトレバー３をシフトストローク限位置にシフト操作すると、シフトレバーブーツ５のシフト方向に圧縮される側の側面の自由な撓み変形が保形部材２１により抑制され、保形部材２１の下端よりも下方の弛み５Ａ領域の自由な撓み変形が許容される。弛み５Ａはシフトレバー３の移動に伴い保形部材２１の下端が上側フィニッシャー８の上側から、下側の凹部１１内へ変位することによって、該保形部材２１の下端の折り込みガイド作用により凹部下方へ押し込まれ、該凹部１１に整然と略Ｖ字状に折り込まれる。【選択図】図２
2011105025.tif 000002
【特許請求の範囲】
【請求項１】
シフトレバーコンソールから車室内に突出したシフトレバーの突出部分を覆うシフトレバーブーツの下端周縁が、前記シフトレバーコンソールのシフトレバー配設口周りに装着された下側カバーと上側フィニッシャーとの間で固定されて、前記シフトレバーブーツの下端部がこれら下側カバーと上側フィニッシャーとで形成される凹部に受容される構造であって、
前記シフトレバーブーツは、そのシフト方向両側面の下端部に、シフトレバーがシフトストロークの中央位置にあるときは、該下端部が前記上側フィニッシャーと略平行となる長さの弛みを備え、かつ、
前記シフトレバーブーツの前記シフト方向面には保形部材が上下方向に付設され、
前記保形部材は、シフトレバーが前記シフトストロークの中央位置にあるときは保形部材下端が前記上側フィニッシャーよりも上側に位置し、シフトレバーが前記シフトストローク限位置にあるときは該保形部材下端が前記上側フィニッシャーよりも下側に位置するように、該保形部材の下端位置が設定されていることを特徴とするシフトレバーブーツの取付構造。
【請求項２】
前記シフトレバーブーツは、前記シフト方向面にブーツ基材の縫合部が上下方向に設定され、前記保形部材はこのブーツ基材の縫合部に沿って配設されていることを特徴とする請求項１に記載のシフトレバーブーツの取付構造。
【発明の詳細な説明】
【技術分野】
【０００１】
本発明は、自動車のシフトレバーコンソールに配設されたシフトレバーの車室内側の突出部分を覆って装着されるシフトレバーブーツの取付構造に関する。
【背景技術】
【０００２】
自動車にあっては、仕様によりシフトレバーコンソールに配設されたシフトレバーの車室内側の突出部分を、合成皮革等の柔軟材料からなるシフトレバーブーツで覆うようにしている。
【０００３】
図８〜１０は、このようなシフトレバーブーツを装着したシフトレバー配設部周りの構造の一例を示している。
【０００４】
フロアセンターに設けられたシフトレバーコンソールとしてのフロアコンソール１の上壁にはシフトレバー配設口２が設けられている。
【０００５】
シフトレバー３は、前記シフトレバー配設口２にフロア下側から通して車室内に突出して配設されている。
【０００６】
シフトレバー３はその上端にシフトノブ４を取付けてあり、シフトレバーブーツ５はこのシフトレバー３のシフトノブ４を除いた車室内側の突出部分を覆って装着されている。
【０００７】
この例にあっては、前記シフトレバー３をＰレンジからＬレンジに亘って車両前後方向に直線状に大きくシフトストロークするタイプのものを示している。
【０００８】
前記フロアコンソール１のシフトレバー配設口２周りには、適宜の合成樹脂材からなる下側カバー６と上側フィニッシャー８とがクリップ係着等の止着手段により固定配置されている。
【０００９】
前記下側カバー６は、下側にシフトレバー３のストロークガイド７を突設した浅底のトレイ状に形成されている。また、上側フィニッシャー８は、シフトレバー挿通孔９と、Ｐ（パーキング），Ｒ（リバース），Ｎ（ニュートラル），Ｄ（ドライブ），Ｌ（ロー）の各走行レンジに合わせたシフトポジションを車両前方からこの順に表示したシフト表示部１０とを備えている。
【００１０】
前記シフトレバーブーツ５は、その下端周縁を前記下側カバー６の上側周縁と、上側フィニッシャー８のシフトレバー挿通孔９の下側周縁との間で固定して、前記シフトレバー３のシフトノブ４下端部位から、前記上側フィニッシャー８のシフトレバー挿通孔９と下側カバー６とで形成される凹部１１の内周側に亘って装着されている。
【００１１】
このシフトレバーブーツ５のシフト方向両側面となる前，後両側面の下端部には、シフトレバー３をシフトストローク限である前記ＰレンジまたはＬレンジ位置にシフト操作したときの伸び代となる弛み５Ａが設けられている。
【００１２】
この弛み５Ａは、前記下側カバー６を深底にして下方弛み量を大きくすると、該弛み部分に塵埃等が溜まり易くなったり、フロアコンソール１内における下側カバー６のレイアウトが困難となる等の不具合を生じる。そこで、図９の鎖線に示すように該シフトレバーブーツ５の前，後両側面の下端部の弛み５Ａを可及的に小さく設定して、シフトレバー３が前後シフトストロークの中央となるＮレンジ位置にあるときに、該下端部が上側フィニッシャー８と略平行となる弛み長さに設定し、これによって、下側カバー６の浅底化が可能とされている。
【００１３】
このように、シフトレバーブーツを装着したシフトレバーの配設構造は、例えば特許文献１および特許文献２に示されている。
【先行技術文献】
【特許文献】
【００１４】
【特許文献１】実開昭６１−１３８６３１号公報
【特許文献２】実開昭６１−１７３４０号公報
【発明の概要】
【発明が解決しようとする課題】
【００１５】
シフトレバー３をシフトストローク限位置にまでシフト操作した際に、シフトレバーブーツ５のシフト方向に圧縮される側の側面が全体的に自由に撓み変形することにより、その下端部が図９の実線に示すように弛み５Ａ部分で多重に折り込まれた状態となって、上側フィニッシャー８のシフトレバー挿通孔９縁から上方へはみ出す場合がある。
【００１６】
これは、特に前述のように下側カバー６を浅底構造としたものでは、シフトレバーブーツ５の下端部が図９の実線に示すように下側カバー６の底面に底付きしてしまうため、弛み５Ａ部分が多重に折り込まれ易くなる傾向となる。
【００１７】
このため、見栄えが悪化してしまうばかりでなく、前記シフトレバーブーツ５の下端部が多重に折り込まれて前記シフトレバー挿通孔９の縁部に挟まることにより、シフトレバー３のシフトストロークを阻害する可能性がある。
【００１８】
また、このようにシフトレバーブーツ５の下端部が多重に折り込まれた側では、該シフトレバーブーツ５の下端部のシフト方向と直交する方向の両側面、即ち、この例では左右側面が図１０に示すように左右方向に略くの字状に大きく膨らんで、見栄えを損なってしまう。極端な場合、この膨らみが同図鎖線のように上側フィニッシャー８のシフト表示部１０の上方にまで及んで、該シフト表示部１０の視認性を阻害する可能性がある。
【００１９】
そこで、前記シフトレバーブーツ５の下端部の多重折り込み現象を回避するために、該シフトレバーブーツ５を、特許文献２に示されているように補強部材で補剛して保形性を付与することも考えられる。しかし、単純に補強部材で補剛するだけでは、前記シフトレバーブーツ５の下端部の多重折り込み、あるいは側方への膨出増大化現象を根本的に解消することは不可能であり、却って、前記シフトレバー３のシフトストロークの阻害を大きくしてしまうことにもなりかねない。
【００２０】
そこで、本発明はシフトレバーをシフトストローク限位置にシフト操作した際に、シフトレバーブーツのシフト方向側面の下端部が多重に折り込まれて上側フィニッシャー上にはみ出したり、該シフトレバーブーツのシフト方向と直交方向の側面が上側フィニッシャーの上側に膨出するのを回避することができるシフトレバーブーツの取付構造を提供するものである。
【課題を解決するための手段】
【００２１】
本発明は、シフトレバーコンソールから車室内に突出したシフトレバーの突出部分を覆うシフトレバーブーツの下端周縁が、前記シフトレバーコンソールのシフトレバー配設口周りに装着された下側カバーと上側フィニッシャーとの間で固定されて、前記シフトレバーブーツの下端部がこれら下側カバーと上側フィニッシャーとで形成される凹部に受容される構造であって、前記シフトレバーブーツは、そのシフト方向面の下端部に、シフトレバーがシフトストロークの中央位置にあるときは、該下端部が前記上側フィニッシャーと略平行となる長さの弛みを備え、かつ、前記シフトレバーブーツの前記シフト方向面には保形部材が上下方向に付設され、前記保形部材は、シフトレバーが前記シフトストロークの中央位置にあるときは保形部材下端が前記上側フィニッシャーよりも上側に位置し、シフトレバーが前記シフトストローク限位置にあるときは該保形部材下端が前記上側フィニッシャーよりも下側に位置するように、該保形部材の下端位置が設定されていることを特徴としている。
【００２２】
前記シフトレバーをシフトストローク限位置にシフト操作すると、シフトレバーブーツのシフト方向両側面のうち、シフト操作で圧縮される側の側面は保形部材の保形作用によって全体的な自由な撓み変形が抑制され、該側面の自由な撓み変形は保形部材の下端とシフトレバーブーツ下縁の固定部に亘る下端部の弛み領域に規制される。
【００２３】
前記保形部材の下端は、シフトレバーがシフトストロークの中央位置からシフトストローク限に移動するのに伴って、上側フィニッシャーの上側から下側の凹部内に変位する。
【００２４】
このとき、前記シフトレバーブーツの下端部の弛みは、保形部材の下端の折り込みガイド作用により前記凹部の下方へ押し込まれて変形態様が規制されて略Ｖ字状に折り込まれ、凹部のシフト方向端部に整然と受容される。
【００２５】
これにより、前記シフトレバーブーツの下端部が、多重に折り込まれて上側フィニッシャーのシフトレバー挿通孔縁から上方へはみ出すのが回避される。また、シフト方向と直交する方向の側面の下端部も前記下方への折り込みガイド作用に引き連られて凹部内へ略Ｖ字状に折り込まれて、側方へ略くの字状に膨出するのが回避される。
【発明の効果】
【００２６】
本発明によれば、シフトレバーをシフトストローク限位置までシフト操作した場合に、シフトレバーブーツのシフト方向に圧縮される側の側面の全体的な自由な撓み変形が保形部材により抑制され、該保形部材の下端よりも下方のブーツ下端部の弛み領域の自由な撓み変形が許容される。一方、このブーツ下端部の弛みは前記シフトレバーの移動に伴い保形部材下端が上側フィニッシャーの上側から、下側の凹部内へ変位することによって、該保形部材下端の折り込みガイド作用により凹部下方へ押し込まれて略Ｖ字状に整然と折り込むことができる。これにより、ブーツ下端部の多重折り込みがなくなり、上側フィニッシャーのシフトレバー挿通孔縁から上方へはみ出すのを回避して、見栄えを向上できる。また、シフトレバーと前記上側フィニッシャーのシフトレバー挿通孔縁との間で多重折り込み部が挟まって、シフトストロークを阻害するのを回避することができる。
【００２７】
また、このブーツ下端部のシフト方向に圧縮される側の側面の近傍では、ブーツ下端部のシフト方向と直交方向の側面も前記シフト方向側面が略Ｖ字状に折り込まれるのに引き連られて凹部下方へ略Ｖ字状に折り込まれるので、側方へ略くの字状に膨出して見栄えを悪化するのを回避することができる。
【図面の簡単な説明】
【００２８】
【図１】本発明に係るシフトレバーブーツの取付構造の一実施形態を示す外観斜視図。
【図２】図１のＡ−Ａ線に沿う略示的断面図。
【図３】図１のＢ−Ｂ線に沿う略示的断面図。
【図４】保形部材の形成工順を（Ａ），（Ｂ）にて示す斜視図。
【図５】保形部材の形成工順の異なる例を（Ａ），（Ｂ），（Ｃ）にて示す斜視図。
【図６】図５（Ａ）のＣ−Ｃ線に沿う断面図。
【図７】保形部材の異なる形成例を示す斜視図。
【図８】従来のシフトレバーブーツ取付構造を示す外観斜視図。
【図９】図８のＤ−Ｄ線に沿う断面図。
【図１０】図８のＥ−Ｅ線に沿う断面図。
【発明を実施するための形態】
【００２９】
以下、本発明の一実施形態を図面と共に詳述する。
【００３０】
図１〜３は、本発明に係るシフトレバーブーツの取付構造を示しており、フロアセンターに設けられたシフトレバーコンソールとしてのフロアコンソール１の上壁には、シフトレバー配設口２が設けられている。
【００３１】
シフトレバー３は、前記シフトレバー配設口２にフロア下側から通して車室内に突出して配設されている。
【００３２】
シフトレバー３はその上端にシフトノブ４を取付けてあり、シフトレバーブーツ５はこのシフトレバー３のシフトノブ４を除いた車室内側の突出部分を覆って装着されている。
【００３３】
この例にあっては、前記シフトレバー３をＰレンジからＬレンジに亘って車両前後方向に直線状に大きくシフトストロークするタイプのものを示している。
【００３４】
前記フロアコンソール１のシフトレバー配設口２周りには、適宜の合成樹脂材からなる下側カバー６と上側フィニッシャー８とがクリップ係着等の止着手段により固定配置されている。
【００３５】
前記下側カバー６は、下側にシフトレバー３のストロークガイド７を突設した浅底のトレイ上に形成されている。
【００３６】
また、上側フィニッシャー８は、シフトレバー挿通孔９と、Ｐ（パーキング），Ｒ（リバース），Ｎ（ニュートラル），Ｄ（ドライブ），Ｌ（ロー）の各走行レンジに合わせたシフトポジションを車両前方からこの順に表示したシフト表示部１０とを備えている。
【００３７】
前記シフトレバーブーツ５は、その下端周縁を前記下側カバー６の上側周縁と、上側フィニッシャー８のシフトレバー挿通孔９の下側周縁との間で固定して、前記シフトレバー３のシフトノブ４の下端部位置から、前記上側フィニッシャー８のシフトレバー挿通孔９と下側カバー６とで形成される凹部１１の内周側に亘って装着されている。
【００３８】
このシフトレバーブーツ５のシフト方向両側面となる前，後側面の下端部には、シフトレバー３をシフトストローク限である前記ＰレンジまたはＬレンジ位置にシフト操作したときの伸び代となる弛み５Ａが設けられている。
【００３９】
この弛み５Ａは、シフトレバー３のシフトストロークに影響を及ぼさない範囲で可及的に小さく設定されている。
【００４０】
即ち、シフトレバー３がシフトストロークの前後方向中央となるＮレンジ位置にあるときに、該下端部が上側フィニッシャー８と略平行となる弛み長さに設定され、これによって、下側カバー６の浅底化が可能とされている。
【００４１】
以上の基本的な構造は、前記図８〜１０に示した従来の構造とほぼ同様である。
【００４２】
ここで、本実施形態にあっては、前記下側カバー６と上側フィニッシャー８のシフトレバー挿通孔９とで形成される凹部１１が、そのシフト方向中央部分に前記上側フィニッシャー８に近接した浅底部１１Ａを残して、前記シフト方向となる前後方向の両端部に該浅底部１１Ａよりも深い深底部１１Ｂが形成されている。
【００４３】
この深底部１１Ｂは、シフトレバー３をＰレンジまたはＬレンジにシフトストローク限位置にまでシフト操作した時に、前記シフトレバーブーツ５の下端部の弛み５Ａが底付きしない程度の比較的に浅い深さに設定される。
【００４４】
図２に示す例では、前記凹部１１の底面を、シフトレバー３の揺動中心を通る垂直線上に中心を持つ前後方向の円弧形状として、前後方向中央部に前記浅底部１１Ａを、そして、前，後両端部に前記深底部１１Ｂが略Ｖ字状に形成されるようにしているが、これら浅底部１１Ａと深底部１１Ｂはフラットに段差をもって形成するようにしてもよい。
【００４５】
一方、前記シフトレバーブーツ５の前，後側面の左右方向中央部には、保形部材２１が上下方向に付設されている。
【００４６】
保形部材２１は、シフトレバーブーツ５のシフト方向両側面を、シフトレバー３のシフト操作に影響を及ぼさない程度に補剛し、かつ、後述するように弛み５Ａの折り込みガイド機能が得られる剛性を有する柔軟材料で構成される。
【００４７】
この保形部材２１は、シフトレバー３がシフトストロークの中央となるＮレンジ位置にあるときは、その下端が前記上側フィニッシャー８よりも上側に位置して、前記弛み５Ａの自由な撓み変形を阻害することがなく、シフトレバー３が前記シフトストローク限となるＰレンジ位置またはＬレンジ位置にあるときは、該保形部材２１の下端が前記上側フィニッシャー８よりも下側に、即ち、凹部１１内に入り込んで位置するように、該保形部材２１の下端位置が設定されている。
【００４８】
前記シフトレバーブーツ５は、本革，合成皮革，布等の柔軟材料で構成され、本実施形態にあっては左右対称に裁断した２枚のブーツ基材５１，５２を裏返して、それらの前，後端部を図４の（Ａ），（Ｂ）に示すように拝み合わせ状に突き合わせて上下方向に縫合される。そして、この縫合部（中央縫合部）５３から各余剰部を折り返して、それらの折り返し端部５１ａ，５２ａをブーツ基材５１，５２に重合して、前記中央縫合部５３を中心に左右対称に上下方向に縫合した、所謂ダブルステッチ縫製とされている。
【００４９】
従って、この実施形態では前記シフトレバーブーツ５は、車両前後方向に長辺を有する長方形の略四角錐の筒形状とされ、前記ブーツ基材５１，５２の中央縫合部５３が前，後側面の各中央部に位置するように構成されている。
【００５０】
前記保形部材２１は、本実施形態では前記ブーツ基材５１，５２の折り返し端部５１ａ，５２ａの所要部位に図４に示すように延設片５１ｂ，５２ｂを設け、それらの端末部を拝み合わせ状に突き合わせて縫合して所要の撓み剛性が得られる長さの筒状に構成されている。
【００５１】
以上の実施形態の構成により、前記シフトレバー３をシフトストローク限のＰレンジまたはＬレンジ位置にシフト操作すると、シフトレバーブーツ５のシフト方向両側面となる前，後側面のうち、シフト操作で圧縮される側の側面は保形部材２１の保形作用によって全体的な自由な撓み変形が抑制される。従って、この圧縮される側の側面の自由な撓み変形は、保形部材２１の下端とシフトレバーブーツ下縁の固定部に亘る下端部の弛み５Ａの領域に規制される。
【００５２】
前記保形部材２１の下端は、シフトレバー３がシフトストローク中央のＮレンジ位置からシフトストローク限のＰレンジまたはＬレンジ位置に移動するのに伴って、上側フィニッシャー８の上側から、下側の凹部１１内に変位する。
【００５３】
このとき、前記シフトレバーブーツ５の下端部の弛み５Ａは、保形部材２１の下端の折り込みガイド作用により前記凹部１１の下方へ押し込まれて変形態様が規制されて図２の実線に示すように略Ｖ字状に折り込まれ、該凹部１１のシフト方向端部に設けられた深底部１１Ｂに受容される。
【００５４】
これにより、前記シフトレバーブーツ５の下端部（弛み５Ａ）が凹部１１の底面に底付きして、多重に折り込まれて上側フィニッシャー８のシフトレバー挿通孔９縁から上方へはみ出すのが回避される。
【００５５】
また、シフト方向と直交する方向の左右側面の下端部も、前記下方への折り込みガイド作用に引き連られて図３に示すように凹部１１内に略Ｖ字状に折り込まれて、側方へ略くの字状に膨出するのが回避される。
【００５６】
このように本実施形態の構成によれば、シフトレバー３をシフトストローク限（ＰレンジまたはＬレンジ）位置までシフト操作した場合に、シフトレバーブーツ５のシフト方向に圧縮される側の側面の全体的な自由な撓み変形が保形部材２１により抑制され、該保形部材２１の下端よりも下方のブーツ下端部の弛み５Ａ領域の自由な撓み変形が許容される。一方、このブーツ下端部の弛み５Ａは前記シフトレバー３の移動に伴い保形部材２１下端が上側フィニッシャー８の上側から、下側の凹部１１内へ変位することによって、該保形部材２１下端の折り込みガイド作用により凹部１１の下方へ押し込まれて略Ｖ字状に整然と折り込むことができる。
【００５７】
そして、この略Ｖ字状に折り込まれたブーツ下端部の弛み５Ａは、凹部１１のシフト方向（車両前後方向）端部の深底部１１Ｂに受容されるため底付きすることがない。従って、ブーツ下端部の弛み５Ａが底付きすることによって生じる多重折り込みがなくなり、上側フィニッシャー８のシフトレバー挿通孔９縁から上方へはみ出すのを回避して、見栄えを向上することができる。
【００５８】
また、前記弛み５Ａの多重折り込みがなくなるため、多重折り込み部分がシフトレバー３と上側フィニッシャー８のシフトレバー挿通孔９縁との間で挟まって、シフトストロークを阻害するのを回避することができる。
【００５９】
更に、ブーツ下端部のシフト方向に圧縮される側の側面の近傍では、ブーツ下端部のシフト方向と直交方向の側面（左右側面）も前記シフト方向側面（前，後側面）が略Ｖ字状に折り込まれるのに引き連られて凹部１１の下方へ略Ｖ字状に折り込まれるので、側方へ略くの字状に膨出して見栄えを悪化するのを回避することができる。
【００６０】
しかも、前記凹部１１の深底部１１Ｂはシフト方向端部（前，後端部）にその形成位置が特定され、かつ、ブーツ下端部の伸び代（弛み５Ａ）がもともと可及的に小さく設定されていることから、該深底部１１Ｂの深さはブーツ下端部（弛み５Ａ）の折り込み部が底付きしない程度の比較的に浅めの設定で済む。従って、下側カバー６のフロアコンソール１内における占有スペースを少なくして、フロアコンソール内配設部品のレイアウトに支障を来すのを回避することができる。
【００６１】
また、本実施形態では、シフトレバーブーツ５のシフト方向両側面に設けられる保形部材２１は、ブーツ基材５１，５２の縫合部５３に沿って配設されている。このため、ブーツ基材５１，５２の縫合時に該保形部材２１をこれらブーツ基材５１，５２に縫合して設けることができるので、作業工数の増加が伴うことがなくコスト的に有利に得ることができる。
【００６２】
特に、本実施形態では前記保形部材２１をブーツ基材５１，５２の折り返し端部５１ａ，５２ａに延設片５１ｂ，５２ｂを設けて、これをループ状に縫製して筒形状に形成されているので、別部材を必要とすることがなくより一層コスト的に有利となる。
図５，図６は前記保形部材２１の異なる形成例を示すものである。
【００６３】
この形成例では、前記ブーツ基材５１，５２の縫合側の端部に、所要の筒状部を形成し得る長さの補強片５４をそれぞれの一端部を両面接着テープ５５で接着して固定し、ブーツ基材５１，５２の端部を補強片５４の一端部と共に拝み合わせて縫合すると共に、この中央縫合部５３からそれらを折り返してダブルステッチ縫製される（図５（Ａ），図６参照）。
【００６４】
そして、各補強片５４の他端部を図５（Ｂ）に示すように拝み合わせて縫合して、所要長さの筒形状に保形部材２１が構成される。
【００６５】
この例では、図５（Ｃ）に示すように保形部材２１の筒形状の上端部を縫合，閉止して剛性を調整するようにしている。
【００６６】
このように、別部材からなる補強片５４を用いて保形部材２１を形成するようにすれば、補強片５４の材質，厚み等の選択によって所望する剛性の保形部材２１を構成することが可能となる。
【００６７】
前記実施形態では、何れも保形部材２１をブーツ基材５１，５２と同質の柔軟材料、即ち、本革，合成皮革，布等を用いて、これらブーツ基材５１，５２の縫合時に縫製して構成することが可能であるが、この他、図７に示すように軟質の帯状のプラスチックシート５６を用いて、これをブーツ基材５１，５２の中央縫合部５３に同時縫合もしくは接着して、保形部材２１を構成することもできる。
【００６８】
なお、前記実施形態ではシフトレバー３を車両の前後方向に直線状にシフトストロークするタイプのものを例示したが、シフトレバー３を前後方向および左右方向にシフトストロークするタイプのものにも適用して、前述と同様の作用効果を得ることができる。
【００６９】
また、前記実施形態では下側カバー６としてシフト方向端部に深底部１１Ｂを有する浅底タイプのものを示したが、略Ｖ字状に折り込まれるブーツ下端部を底付きすることなく受容し得る深さのものであれば、これに限定されるものではない。
更に、保形部材２１は仕様によって、シフトレバーブーツ５のシフト方向一側面に設けるのみでもよい。
【符号の説明】
【００７０】
１…フロアコンソール
２…シフトレバー配設口
３…シフトレバー
５…シフトレバーブーツ
５Ａ…下端部の弛み
６…下側カバー
８…上側フィニッシャー
９…シフトレバー挿通孔
１１…凹部
１１Ａ…浅底部
１１Ｂ…深底部
２１…保形部材
５１，５２…ブーツ基材
５３…縫合部
【図１】
2011105025.tif 000003
【図２】
2011105025.tif 000004
【図３】
2011105025.tif 000005
【図４】
2011105025.tif 000006
【図５】
2011105025.tif 000007
【図６】
2011105025.tif 000008
【図７】
2011105025.tif 000009
【図８】
2011105025.tif 000010
【図９】
2011105025.tif 000011
【図１０】
2011105025.tif 000012